(57)【要約】【課題】本発明は、移動通信システムにおける移動局のセルサーチ装置およびセルサーチ方法を提供する。【解決手段】１つまたは複数の基地局からの複数のパスのそれぞれについて、プライマリ同期チャネルに含まれるプライマリ同期コードが検出され、各パスのスロットタイミング同期が確立される。次に、スロットタイミング同期が確立された複数のパスが同じ基地局からのパスかどうかが判定され、同じ基地局のパス同士がグループに分類され、分類したグループの１つが選択される。次に、選択されたグループに含まれる全てのパスをレイク合成することにより、該グループの第２同期チャネルに含まれる第２同期コードが検出され、該パスのフレームタイミング同期の確立およびスクランブリングコードグループの同定が行われる。次に、同定されたスクランブリングコードグループおよび共通パイロットチャネルに基づいて、スクランブリングコードが同定される。【選択図】図３
2005012359.tif 000002
【特許請求の範囲】
【請求項１】
１つまたは複数の基地局から複数のパスを介して無線信号により送信され、それぞれが第１同期チャネル、第２同期チャネル、および共通パイロットチャネルを含む複数のスロットからなるフレームを受信し、該フレームに基づいてセルサーチを行うセルサーチ装置であって、
各パスの第１同期チャネルに含まれる第１同期コードを検出することにより、各パスのスロットタイミング同期を確立する第１同期確立部と、
前記第１同期確立部により前記スロットタイミング同期が確立された複数のパスが同じ基地局からのパスかどうかを判定して同じ基地局のパス同士をグループに分類し、分類したグループの１つを選択する分類選択部と、
前記分類選択部により選択されたグループに含まれる全てのパスをレイク合成することにより、該グループの第２同期チャネルに含まれる第２同期コードを検出し、該グループに対応する基地局のフレームタイミング同期の確立およびスクランブリングコードグループの同定を行う第２同期確立部と、
前記選択されたグループに含まれる少なくとも１つのパスの共通パイロットチャネルおよび前記第２同期確立部により同定されたスクランブリングコードグループに基づいて、該パスのスクランブリングコードを同定するコード同定部と、
を備えるセルサーチ装置。
【請求項２】
請求項１において、
前記分類選択部は、前記第１同期確立部により前記スロットタイミング同期が確立された複数のパスから２つずつパスを選択して該２つのパス間の相関を求め、該相関の値に基づいて２つのパスが同じ基地局からのものかどうかを判定することにより、前記複数のパスをグループに分類する、セルサーチ装置。
【請求項３】
１つまたは複数の基地局から複数のパスを介して無線信号により送信され、それぞれが少なくとも第１同期チャネルを含む複数のスロットからなるフレームを受信し、該フレームに基づいて、自局がエリアの圏内であるか圏外であるかの判定を行う移動局装置であって、
各パスの第１同期チャネルに含まれる第１同期コードを検出することにより、各パスのスロットタイミング同期を確立する第１同期確立部と、
前記第１同期確立部により前記スロットタイミング同期が確立された複数のパスが同じ基地局からのパスかどうかを判定して同じ基地局のパス同士をグループに分類する分類部と、
前記分類部により分類されたグループの少なくとも１つについて、該少なくとも１つのグループに属する全てのパスの前記第１同期コードの相関値の合計値を求め、該合計値に基づいて、自局が、該グループに対応する基地局のエリア圏内であるか圏外であるかを判定する判定部と、
を備える移動局装置。
【請求項４】
１つまたは複数の基地局から複数のパスを介して無線信号により送信され、それぞれが第１同期チャネル、第２同期チャネル、および共通パイロットチャネルを含む複数のスロットからなるフレームに基づいてセルサーチを行うセルサーチ方法であって、
各パスの第１同期チャネルに含まれる第１同期コードを検出することにより、各パスのスロットタイミング同期を確立するステップと、
前記スロットタイミング同期が確立された複数のパスが同じ基地局からのパスかどうかを判定して同じ基地局のパス同士をグループに分類し、分類したグループの１つを選択するステップと、
前記選択されたグループに含まれる全てのパスをレイク合成することにより、該グループの第２同期チャネルに含まれる第２同期コードを検出し、該パスのフレームタイミング同期の確立およびスクランブリングコードグループの同定を行うステップと、
前記少なくとも１つのパスの共通パイロットチャネルおよび前記同定されたスクランブリングコードグループに基づいて、該パスのスクランブリングコードを同定するステップと、
を備えるセルサーチ方法。
【請求項５】
１つまたは複数の基地局から複数のパスを介して無線信号により送信され、それぞれが少なくとも第１同期チャネルを含む複数のスロットからなるフレームに基づいて、自局がエリアの圏内であるか圏外であるかの判定を行う移動局装置の圏内／圏外判定方法であって、
各パスの第１同期チャネルに含まれる第１同期コードを検出することにより、各パスのスロットタイミング同期を確立するステップと、
前記スロットタイミング同期が確立された複数のパスが同じ基地局からのパスかどうかを判定して同じ基地局のパス同士をグループに分類するステップと、
前記分類されたグループの少なくとも１つについて、該少なくとも１つのグループに属する全てのパスの前記第１同期コードの相関値の合計値を求め、該合計値に基づいて、自局が、該グループに対応する基地局のエリア圏内であるか圏外であるかを判定するステップと、
を備える圏内／圏外判定方法。
【発明の詳細な説明】
【０００１】
【発明の属する技術分野】
本発明は、移動通信システムにおける移動局のセルサーチ装置およびセルサーチ方法に関する。また、本発明は、移動通信システムにおいて、基地局のエリアの圏内か圏外かを判定する移動局装置および圏内／圏外判定方法に関する。
【０００２】
【従来の技術】
第３世代移動通信システム（ＩＭＴ２０００）の一つの方式として、Ｗ−ＣＤＭＡ（Ｗｉｄｅｂａｎｄ  ＣＤＭＡ）方式が検討され、その標準化が進められている。
【０００３】
このＷ−ＣＤＭＡ方式では、移動局（移動端末）は、電源投入時に、どの基地局が周辺に存在しているのか分からないので、基地局を検出する必要がある。また、移動局は、移動時には、より近くの基地局を選択したいことから、現在、信号を受信している基地局以外の基地局を検出する必要がある。
【０００４】
このような移動局による基地局の検出は、セルサーチと呼ばれる。よりよい環境にある基地局を選択するため、移動局は、周辺に存在する多数の基地局を検出する場合がある。
【０００５】
Ｗ−ＣＤＭＡ方式におけるセルサーチでは、高速なセルサーチを実現するために、（１）プライマリ同期チャネル（ＰＳＣＨ：Ｐｒｉｍａｒｙ  Ｓｙｎｃｈｒｏｎｉｚａｔｉｏｎ  Ｃｈａｎｎｅｌ）のプライマリ同期コード（ＰＳＣ：Ｐｒｉｍａｒｙ  Ｓｙｎｃｈｒｏｎｉｚａｔｉｏｎ  Ｃｏｄｅ）の検出によるスロットタイミングの同期、（２）セカンダリ同期チャネル（ＳＳＣＨ：Ｓｅｃｏｎｄａｒｙ  Ｓｙｎｃｈｒｏｎｉｚａｔｉｏｎ  Ｃｈａｎｎｅｌ）のセカンダリ同期コード（ＳＳＣ：Ｓｅｃｏｎｄａｒｙ  Ｓｙｎｃｈｒｏｎｉｚａｔｉｏｎ  ｃｏｄｅ）の検出によるフレームタイミングの同期とスクランブリングコードグループの同定、および（３）共通パイロットチャネル（ＣＰＩＣＨ：Ｃｏｍｍｏｎ  Ｐｉｌｏｔ  Ｃｈａｎｎｅｌ）のスクランブリングコード（ＳＣ：Ｓｃｒａｍｂｌｉｎｇ  ｃｏｄｅ）の同定、の３段階セルサーチ方法が用いられる。
【０００６】
ＰＳＣは、全基地局で共通のコードであり、図１２に示すように、１５個のスロットからなるフレーム（１０ｍｓｅｃ）の各スロットに含まれ、スロット周期のコードである。移動局は、このＰＳＣを検出することにより、スロットタイミングの同期を確立する（上記段階（１））。
【０００７】
ＳＳＣは、１６種類あり、１フレーム内の各スロットには、この１６種類のＳＳＣのいずれかが割り当てられる。したがって、スロット間でＳＳＣが異なることがある。ＳＳＣは、フレーム周期のコードである。移動局は、各スロットに割り当てられたＳＳＣと１６種類のＳＳＣとの間で１６回の相関をとり、最大のピーク（相関値）を得たコードをそのスロットのＳＳＣとする。１フレームの１５個のスロットに割り当てられた１５個のＳＳＣの並び方（パターン）によって、移動局は、フレームタイミングの同期を確立すると共に、６４種類のスクランブリングコードグループ番号の同定を行う（上記段階（２））。なお、スクランブリングコードグループは、５１２種類のスクランブリングコードを見つけやすくするために、８種類ずつをグループ化し、６４種類のグループに分けたものである。
【０００８】
最後に、移動局は、特定されたスクランブリングコードグループ番号に属する８種類のＳＣと、ＣＰＩＣＨのＳＣとの相関をとり、最大のピーク（相関値）が得られたＳＣをその基地局のＳＣとする。これにより、基地局が特定される。
【０００９】
このように１回のセルサーチを行うのに、ＰＳＣ、ＳＳＣ、およびＳＣの３回の検出が必要となるが、この３回の検出のタイミングは同じでなければ相関値が得られないしくみになっている。以上の処理を何回か繰り返すことにより、多数の基地局を検出することができる。
【００１０】
また、ある基地局が、周辺セルの基地局のＳＣおよびタイミング情報を移動局に与える場合がある。１スロット以内の誤差でタイミング情報が与えられた場合に、移動局は、スロット先頭が検出できると、基地局からの上記情報を用いて、周辺のセルからのフレームの先頭を知ることができる。このとき、移動局は、ＳＳＣ検出（上記段階（２））を行わずに、このフレーム先頭を用いて基地局から指定されたスクランブリングコードの相関を求め、高いピーク値が得られれば、この基地局のスクランブリングコードを同定する（上記段階（３））。
【００１１】
しかし、このようなセルサーチにおいて、ＰＳＣＨおよびＳＳＣＨを含む同期チャネル（ＳＣＨ：Ｓｙｎｃｈｒｏｎｉｚａｔｉｏｎ  Ｃｈａｎｎｅｌ）のコードは、各基地局で共通のため、各基地局からマルチパスの信号が到来した場合に、どのパスの信号が同じ基地局からのものであるかを区別することができない。そのため、通常、セルサーチにおいては、ユーザデータ等の復調において行われるレイク受信を行うことができない。
【００１２】
したがって、従来、マルチパスが存在する場合であっても、１パスずつのＳＳＣおよびＳＣ検出を行っていた。このため、マルチパスの合計電力値（レイク合成値）が大きい基地局が選択されるのではなくて、各パスの電力値が比較され、最大電力のパスの基地局が選択されるようになっていた。例えば、図７Ａにおいて、パスＰ１、Ｐ２、およびＰ３は、基地局Ａからの信号であり、パスＰ４、Ｐ５、およびＰ６は基地局Ｂからの信号である場合に、基地局ＡのパスＰ１〜Ｐ３の合計電力値（ＰＳＣの合計相関値）よりも基地局ＢのパスＰ４〜Ｐ６の合計電力値の方が大きいが、パスＰ２の電力値が最大であるため、基地局Ａが選択されていた。
【００１３】
しかしながら、データ復調と同様に、レイク合成により、合計電力値の大きい基地局を選択した方が、受信品質の良い基地局を選択することができる。
【００１４】
また、従来の方法では、レイク合成によるＳ／Ｎ（ＳＮ比：Ｓｉｇｎａｌ−ｔｏ−Ｎｏｉｓｅ  ｒａｔｉｏ）の改善が行えないという問題がある。このため、レイク合成を行った場合に比べ、基地局の検出確率が低くなり、誤検出の確率が高くなっていた。
【００１５】
さらに、同じ基地局かどうか区別できないので、マルチパスすべてについてＳＳＣおよびＳＣ検出を行っていた。例えば、図７Ｂにおいて、従来、相関値の大きなパスＰ５、パスＰ６、パスＰ４の順にセルサーチを行っていた。しかし、これらのパスの信号は、すべて同じ基地局Ｂからの信号なので、３回のセルサーチを行っても結果はすべて同じとなる。そして、４回目にやっとパスＰ２のセルサーチを行い、基地局Ａが検出される。このように、同じ基地局に対して３回のセルサーチを行うのは無駄である。
【００１６】
なお、Ｗ−ＣＤＭＡ方式のセルサーチに関する他の従来技術として、短時間で最も確からしいパスを必要最小限だけ抽出可能なセルサーチ制御装置およびセルサーチ制御方法がある（例えば、特許文献１参照）。このセルサーチ制御装置およびセルサーチ制御方法では、規定数のパスのＰＳＣＨが検出され、検出パスから相関値の上位ｎ個のパスが抽出され、抽出されたｎ個のパスに対応するＳＳＣＨの検出タイミングが、フレームタイミング同期を行う第２の同期確立手段に割り当てられる。
【００１７】
また、別の従来技術に、参照信号として、相関検出対象であるスロットのＰＳＣＨのみならず、当該スロットの前後のスロットのＰＳＨＣまたはＳＳＣＨをも用いてＳＳＣＨの相関検出を行うものがある（例えば、特許文献２参照）。
【００１８】
さらに別の従来技術として、各サーチにおける各段階の相関検出動作を、当該サーチにおける平均相関値だけを用いて行うのではなく、過去のサーチにおける平均相関値を記憶しておき、当該サーチの平均相関値と過去のサーチの平均相関値の両方を用いて行うことにより、各段階の検出精度を高め、サーチの所要時間および精度を高めるものがある（例えば、特許文献３参照）。
【００１９】
さらに別の従来技術として、複数基地局を検出するセルサーチにおいて、マルチパスを削除することにより、セルサーチ時間を短縮するものがある（例えば、特許文献４参照）。
【００２０】
さらに別の従来技術として、第１段階および第２段階のそれぞれの検出終了時に、相関電力値と閾値とを比較し、閾値を超えない場合には、再度第１段階から処理を行い、第３段階として、相関検出値が閾値を超えるロングコードの相関検出を行い、閾値を超えたロングコードを目的セルのロングコードと判定するものがある（例えば、特許文献５参照）。
【００２１】
【特許文献１】
特開２００２−１４１８８６号公報
【００２２】
【特許文献２】
特開２００２−８４５６８号公報
【００２３】
【特許文献３】
特開２００２−７７９８９号公報
【００２４】
【特許文献４】
特開２００２−１８５３６５号公報
【００２５】
【特許文献５】
特開２００１−１４５１５１号公報
【００２６】
【発明が解決しようとする課題】
本発明は、同期コードの検出精度を改善することを目的とする。また、本発明は、同期チャネルのＳ／Ｎを改善することを目的とする。さらに、本発明は、基地局の検出確率を高めることを目的とする。またさらに、本発明は、セルサーチの処理効率を改善することを目的とする。
【００２７】
【課題を解決するための手段】
本発明によるセルサーチ装置は、１つまたは複数の基地局から複数のパスを介して無線信号により送信され、それぞれが第１同期チャネル、第２同期チャネル、および共通パイロットチャネルを含む複数のスロットからなるフレームを受信し、該フレームに基づいてセルサーチを行うセルサーチ装置であって、各パスの第１同期チャネルに含まれる第１同期コードを検出することにより、各パスのスロットタイミング同期を確立する第１同期確立部と、前記第１同期確立部により前記スロットタイミング同期が確立された複数のパスが同じ基地局からのパスかどうかを判定して同じ基地局のパス同士をグループに分類し、分類したグループの１つを選択する分類選択部と、前記分類選択部により選択されたグループに含まれる全てのパスをレイク合成することにより、該グループの第２同期チャネルに含まれる第２同期コードを検出し、該パスのフレームタイミング同期の確立およびスクランブリングコードグループの同定を行う第２同期確立部と、前記選択されたグループに含まれる少なくとも１つのパスの共通パイロットチャネルおよび前記第２同期確立部により同定されたスクランブリングコードグループに基づいて、該パスのスクランブリングコードを同定するコード同定部と、を備える。
【００２８】
本発明によるセルサーチ方法は、１つまたは複数の基地局から複数のパスを介して無線信号により送信され、それぞれが第１同期チャネル、第２同期チャネル、および共通パイロットチャネルを含む複数のスロットからなるフレームに基づいてセルサーチを行うセルサーチ方法であって、各パスの第１同期チャネルに含まれる第１同期コードを検出することにより、各パスのスロットタイミング同期を確立するステップと、前記スロットタイミング同期が確立された複数のパスが同じ基地局からのパスかどうかを判定して同じ基地局のパス同士をグループに分類し、分類したグループの１つを選択するステップと、前記選択されたグループに含まれる全てのパスをレイク合成することにより、該グループの第２同期チャネルに含まれる第２同期コードを検出し、該グループに対応する基地局のフレームタイミング同期の確立およびスクランブリングコードグループの同定を行うステップと、前記少なくとも１つのパスの共通パイロットチャネルおよび前記同定されたスクランブリングコードグループに基づいて、該パスのスクランブリングコードを同定するステップと、を備える。
【００２９】
本発明によると、同じ基地局から到来するパス（マルチパス）同士がグループに分類される。そして、グループに属するマルチパスがレイク合成されることにより、第２同期コードが検出され、フレームタイミング同期が確立される。これにより、第２同期チャネルのＳ／Ｎが改善され、第２同期コードの検出精度が改善されると共に、フレームタイミング同期をより高い精度で確立することができる。その結果、基地局の検出確率を高くすることができる。
【００３０】
好ましくは、前記分類選択部は、各グループに属するパスの前記第１同期コードの相関値の合計値を求め、該合計値が最大のグループを選択する。これにより受信品質の良い基地局のパスを選択することができ、第２同期コードの検出精度の改善、フレームタイミング同期の精度の改善、および第２同期チャネルのＳ／Ｎの改善を行うことができる。
【００３１】
さらに好ましくは、前記コード同定部は、前記分類選択部により選択されたグループに含まれる全てのパスについて、各パスの共通パイロットチャネルと前記同定されたスクランブリングコードグループに属する所定の種類のスクランブリングコードとの相関を求め、求めた各パスの相関値を全てのパスについて合計し、合計した値が最大となる種類のスクランブリングコードを、前記選択されたグループに対応する基地局のスクランブリングコードとして同定する。これにより、マルチパスのレイク合成により、スクランブリングコードの同定が行われるので、スクランブリングコードの同定精度を改善することができる。
【００３２】
さらに好ましくは、前記第２同期確立部は、２つ目以降の基地局のセルサーチを行う場合において、前記分類選択部により選択されたグループに含まれる少なくとも１つのパスが、既にフレームタイミング同期が確立されたパスであるときは、該パスまたは前記選択されたグループに含まれる全てのパスについての第２同期コードの検出、フレームタイミング同期の確立、およびスクランブリングコードグループの同定を省略する。これにより、セルサーチの処理効率を改善することができる。
【００３３】
さらに好ましくは、前記コード同定部は、２つ目以降の基地局のセルサーチを行う場合において、前記分類選択部により選択されたグループに含まれる少なくとも１つのパスが、既にスクランブリングコードが同定されたパスであるときは、該パスまたは前記選択されたグループに含まれる全てのパスについてのスクランブリングコードの同定を省略する。これにより、セルサーチの処理効率を改善することができる。
【００３４】
本発明による移動局装置は、１つまたは複数の基地局から複数のパスを介して無線信号により送信され、それぞれが少なくとも第１同期チャネルを含む複数のスロットからなるフレームを受信し、該フレームに基づいて、自局がエリアの圏内であるか圏外であるかの判定を行う移動局装置であって、各パスの第１同期チャネルに含まれる第１同期コードを検出することにより、各パスのスロットタイミング同期を確立する第１同期確立部と、前記第１同期確立部により前記スロットタイミング同期が確立された複数のパスが同じ基地局からのパスかどうかを判定して同じ基地局のパス同士をグループに分類する分類部と、前記分類部により分類されたグループの少なくとも１つについて、該少なくとも１つのグループに属する全てのパスの前記第１同期コードの相関値の合計値を求め、該合計値に基づいて、自局が、該グループに対応する基地局のエリア圏内であるか圏外であるかを判定する判定部と、を備える。
【００３５】
本発明による圏内／圏外判定方法は、１つまたは複数の基地局から複数のパスを介して無線信号により送信され、それぞれが少なくとも第１同期チャネルを含む複数のスロットからなるフレームに基づいて、自局がエリアの圏内であるか圏外であるかの判定を行う移動局装置の圏内／圏外判定方法であって、各パスの第１同期チャネルに含まれる第１同期コードを検出することにより、各パスのスロットタイミング同期を確立するステップと、前記スロットタイミング同期が確立された複数のパスが同じ基地局からのパスかどうかを判定して同じ基地局のパス同士をグループに分類するステップと、前記分類されたグループの少なくとも１つについて、該少なくとも１つのグループに属する全てのパスの前記第１同期コードの相関値の合計値を求め、該合計値に基づいて、自局が、該グループに対応する基地局のエリア圏内であるか圏外であるかを判定するステップと、を備える。
【００３６】
本発明によると、より正確に圏内／圏外判定を行うことができる。
【００３７】
【発明の実施の形態】
以下、図面を参照して本発明の実施の形態例を説明する。しかしながら、かかる実施の形態例が、本発明の技術的範囲を限定するものではなく、特許請求の範囲に記載された発明とその均等物にまで及ぶものである。
【００３８】
図１は、Ｗ−ＣＤＭＡ方式を使用する移動通信ネットワークにおける移動局を取り巻く環境の一例を示している。移動局（移動機、携帯電話機）１の周囲には、複数の基地局（図１では２つの基地局ＡおよびＢ）が存在する。各基地局からの下りリンクの信号は、パスＰ２およびＰ５に示すように、移動局１に直接到達する場合もあるし、パスＰ１、Ｐ３、Ｐ４、およびＰ６に示すように、建物等の反射物Ｘ１〜Ｘ４に反射されて移動局１に到達する場合もある。このように、同じ基地局からの信号であっても、移動局１には、複数のパス（すなわちマルチパス）を介して信号が受信される。
【００３９】
Ｗ−ＣＤＭＡ方式では、ユーザデータの復調時に、これらマルチパスの信号がレイク合成されて復調されるが、本発明の実施形態では、セルサーチにおいても、マルチパスの信号がレイク合成される。これにより、レイク合成後の総電力値（相関値）の大きな基地局を選択することができ、またプライマリ同期チャネル（ＰＳＣＨ）およびセカンダリ同期チャネル（ＳＳＣＨ）を含む同期チャネル（ＳＣＨ）のＳ／Ｎの改善を行うことができる。以下、より詳細に説明する。
【００４０】
図２は、本発明の一実施形態による移動局１の構成を示すブロック図である。移動局１は、アンテナ１１、無線受信部１２、Ａ／Ｄ変換部１３、セルサーチ部１４、パスサーチ部１５、およびデータ復調部１６を有する。
【００４１】
基地局Ａ，Ｂ等から無線信号により送信されたＰＳＣＨのプライマリ同期コード（ＰＳＣ）、ＳＳＣＨのセカンダリ同期コード（ＳＳＣ）、共通パイロットチャネル（ＣＰＩＣＨ）のスクランブリングコード（ＳＣ）等の信号（受信データ）は、アンテナ１１を介して無線受信部１２に受信され、ＲＦ帯域からベースバンド帯域への周波数変換等の処理を受けた後、Ａ／Ｄ変換部１３に与えられる。そして、受信データは、Ａ／Ｄ変換部１３によりアナログ信号からディジタル信号に変換され、セルサーチ部１４に与えられる。
【００４２】
セルサーチ部１４は、ＰＳＣＨ，ＳＳＣＨ，およびＣＰＩＣＨの信号に基づいて、本発明によるレイク合成を使用した３段階セルサーチを実行する。この本発明による３段階セルサーチについては、後に詳述する。セルサーチ部１４は、３段階セルサーチにより得られたタイミング情報およびＳＣをパスサーチ部１５に与える。
【００４３】
パスサーチ部１５は、セルサーチ部１４から与えられたタイミング情報およびＳＣに基づいてパスタイミング追従を行い、追従によるタイミング情報およびＳＣをデータ復調部１６に与える。データ復調部１６は、パスサーチ部１５からのタイミング情報およびＳＣに基づいて受信データを復調する。復調後の受信データは、図示しないデータ処理部等に与えられる。
【００４４】
図３は、移動局１のセルサーチ部１４により実行される３段階セルサーチの処理フローを示すフローチャートである。このフローチャートの処理は、ハードウェア回路により実現することもできるし、プログラムおよび該プログラムを実行するマイクロプロセッサ（ＣＰＵ、マイクロコンピュータ等）により実現することもできる。後述する図４等のフローチャートについても同様である。
【００４５】
まず、従来通り、第１段階セルサーチが行われ、ＰＳＣＨのＰＳＣの検出によるスロットタイミングの同期が確立される（Ｓ１）。これにより、１つまたは複数の基地局からの１つまたは複数のパスについてのスロットタイミングの同期が確立される。例えば、図７Ａに示すように、パスＰ１〜Ｐ６についてのスロットタイミングの同期が確立される。
【００４６】
次に、本実施形態では、検出された複数のパスのそれぞれが同じ基地局からのものであるか、異なる基地局からのものであるかの判定が行われる（Ｓ２）。図４は、ステップＳ２の詳細な処理フローを示すフローチャートである。
【００４７】
まず、ステップＳ１で検出された複数のパスのうち、任意の２つが選択される（Ｓ１１）。続いて、選択された２つのパスの相関値が求められる。この相関値は、図５に示すハードウェア回路により求めることもできるし、あるいは、このハードウェア回路をプログラムにより記述し、マイクロコンピュータ、ＣＰＵ等のマイクロプロセッサが該プログラムを実行することにより求めることもできる。
【００４８】
図５に示すハードウェア回路に沿って説明すると、まず、選択された２つのパス（以下「第１パス」および「第２パス」という。）の各チップのデータの複素共役演算（乗算）が乗算器１０１で行われる。乗算結果は、加算器１０２において、遅延素子（Ｄ）１０３に記憶された１つ前の加算結果（初期値は０）と加算される。この処理が、例えば１つのスロットのすべてのデータや、１つのスロットの先頭の１／１０の部分等について行われる。加算結果は、電力化回路１０４において電力値に変換される。この電力値が第１パスと第２パスとの相関値となる。この処理を式に表すと、以下の式（１）になる。
【００４９】
【数１】
2005012359.tif 000003
【００５０】
ここで、Ｃは相関値を表す。Ｄ１ｉは第１パスの第ｉチップのデータであり、Ｎ１ｉは第１パスの第ｉチップの干渉である。また、Ｄ２ｉは第２パスの第ｉチップのデータであり、Ｎ２ｉは第２パスの第ｉチップの干渉である。
【００５１】
なお、この計算をＳＦ（拡散率、拡散比、Ｓｐｒｅａｄｉｎｇ  Ｆａｃｔｏｒ）チップ数にわたって行うと、チップ間で位相が揃っている式（１）の第１項はＳＦ倍になるが、位相の揃っていない第２項から第４項までは、ＳＦ１／２倍にしかならない。これは、通常の逆拡散の場合と同じであり、逆拡散並のＳ／Ｎ改善が期待できる。つまり、例えばＳＦ＝２５６のときは、雑音の項である第２項から第４項に比べ、相関値の項である第１項は、相関値をとることにより２５６倍のＳ／Ｎ改善になる。つまりノイズが支配的に大きい場合には、ノイズの１／２５６以上のパスであれば、同じ基地局かどうかの判別が可能となる。
【００５２】
目的が違うので代替手段とはならないが、ノイズに対する強さという観点で通常の逆拡散との比較を行うと次のようになる。すなわち、逆拡散の場合には、１つのパスについて相関がとられるが、本発明による方法は、２つのパスによる相関がとられる。２パス目が極端に弱い伝播環境の場合、逆拡散はできるが、本発明による相関は、精度が非常に悪くなるのが不利な点である。ただし、逆拡散は、コードに対応する１チャンネル分の電力しか使えないのが不利な点である。一方、本発明による方法は、基地局分離に用いる電力として、その基地局から送信されているすべてのチャネルの電力を使うことができるのが利点である。結局どちらがノイズに強いかは環境に依存し、一概には言えない。
【００５３】
図４に戻って、ステップＳ１２で求められた相関値が、所定の閾値と比較され、相関値が閾値以上であれば（Ｓ１３でＹ），選択された第１パスおよび第２パスは、同じ基地局からのものと判定される（Ｓ１４）。一方、相関値が閾値未満であれば（Ｓ１３でＮ），選択された第１パスおよび第２パスは、異なる基地局からのものと判定される（Ｓ１５）。なお、所定の閾値の具体的な値は、実験、シミュレーション等により決定される。
【００５４】
このようなステップＳ１１〜Ｓ１５の処理が、第１段階セルサーチで検出されたパスから選択された２つのパスの組み合わせのすべてについて行われる（Ｓ１６）。例えば、図７Ａの６つのパスＰ１〜Ｐ６については、６×５÷２＝１５通りの組み合わせについて、ステップＳ１１〜Ｓ１５の処理が行われる。これにより、検出されたパスのすべてについて、同じ基地局に属するもの同士がグルーピングされる。例えば、図７Ａでは、基地局Ａに属するパスＰ１〜Ｐ３が１つのグループ（グループＡとする。）にグルーピングされ、基地局Ｂに属するパスＰ４〜Ｐ６が別の１つのグループ（グループＢとする。）にグルーピングされる。
【００５５】
図３に戻って、次に、各グループに属するパスの電力（相関値）の合計値が求められる（Ｓ３）。例えば、上記グループＡのパスＰ１〜Ｐ３の電力の合計値および上記グループＢのパスＰ４〜Ｐ６の電力の合計値がそれぞれ求められる。すなわち、同じ基地局からのマルチパスの信号がレイク合成される。
【００５６】
続いて、求められた各グループの電力の合計値（レイク合成値）が比較され、最大の合計値を有するグループ（すなわち基地局）が選択される（Ｓ４）。例えば、図７Ａでは、グループＢ、すなわち基地局Ｂが選択される。
【００５７】
続いて、選択された基地局に属するパスのタイミング（パスタイミング）情報に基づいて、第２段階セルサーチが実行される（Ｓ５）。例えば、図７Ａでは、パスＰ４〜Ｐ６の３つのタイミング情報に基づいて、第２段階セルサーチが実行される。第２段階セルサーチは、以下の通りである。
【００５８】
選択された基地局に属するパスタイミングを、ｎ個（図７Ａでｎ＝３個）のｔ０，ｔ１，…，ｔｎ−１とする。各パスの各スロットのＳＳＣに対して、１６種類のＳＳＣと相関がとられる。第ｊ番目のパスの受信信号をｆ（ｔｊ）、第ｉ番目のスロットの第ｎチップ目のＳＳＣを
【００５９】
【数２】
2005012359.tif 000004
【００６０】
とすると、第ｊパスの第ｉスロットのＳＳＣと、１６種類のＳＳＣの第ｋ番目のものとの相関値
【００６１】
【数３】
2005012359.tif 000005
【００６２】
は、以下の式（２）により求められる。
【００６３】
【数４】
2005012359.tif 000006
【００６４】
ここで、ｎ＝０〜２５５まで加算を行うのは、１つのＳＳＣが２５６チップから構成されるからである。
【００６５】
次に、以下の式（３）に示すように、各スロットでパスごとに求めた相関値が加算（すなわちレイク合成）され、その合計値（レイク合成値）が求められる。
【００６６】
【数５】
2005012359.tif 000007
【００６７】
例えば、図７Ａでは、パスＰ４の第１スロット（ｉ＝１）のＳＳＣと１６種類のＳＳＣの第ｋ番目のものとの相関値と、パスＰ５の第１スロットのＳＳＣと１６種類のＳＳＣの第ｋ番目のものとの相関値と、パスＰ６の第１スロットのＳＳＣと１６種類のＳＳＣの第ｋ番目のものとの相関値との合計値Ｓ２１，ｋが求められる。
【００６８】
上記式（３）の計算の結果、相関値の最も大きなＳＳＣがそのスロット（第ｉスロット）のＳＳＣとされる。すなわち、以下の式（４）に示すように、１６種類のＳ２ｉ，０〜Ｓ２ｉ，１５のうち、最大のものをＳＣｉとすると、このときのｋがＳＳＣｉとなる。すなわち、ＳＣｉ＝ＳＣｉ，  ｋとなるｋに対してＳＳＣｉ＝ｋとなる。
【００６９】
【数６】
2005012359.tif 000008
【００７０】
１フレームに含まれる１５個のスロットについて、上記処理が行われ、各スロットのＳＳＣが決定される。そして、求められた１５個のＳＳＣの列（パターン）
【００７１】
【数７】
2005012359.tif 000009
【００７２】
から、フレームの先頭のタイミングおよびスクランブリングコードグループ番号が求められる。例えば、図７Ａの基地局ＢのパスＰ４〜Ｐ５のそれぞれについて、フレームの先頭タイミングおよびスクランブリングコードグループ番号が求められる。これにより、第２段階セルサーチの処理は終了する。
【００７３】
次に、図３のステップＳ６の第３段階セルサーチの処理が実行される。この第３段階セルサーチでは、上記ステップＳ５の第２段階セルサーチの処理で求められたスクランブリングコードグループ番号と複数のフレーム先頭タイミングとに基づいて、スクランブリングコードが決定される。
【００７４】
まず、ｎ個（図７Ａでｎ＝３個）のパスタイミングをｔ０，ｔ１，…，ｔｎ−１とする。複数のフレーム先頭タイミングについてスクランブリングコードグループに属する８種類のＳＣについて相関値が求められる。
【００７５】
受信信号をｆ（ｔ）、８個のうちの第ｊ番目のＳＣの第ｎチップ目を
【００７６】
【数８】
2005012359.tif 000010
【００７７】
とし、第ｉ番目のパスと第ｊ番目のＳＣとの相関値を
【００７８】
【数９】
2005012359.tif 000011
【００７９】
とすると、相関値
【００８０】
【数１０】
2005012359.tif 000012
【００８１】
は以下の式（５）により求められる。
【００８２】
【数１１】
2005012359.tif 000013
【００８３】
次に、各パスと第ｊ番目のＳＣとの相関値の合計値が求められる。
【００８４】
【数１２】
2005012359.tif 000014
【００８５】
例えば、図７Ａでは、パスＰ４と第ｊ番目のＳＣとの相関値、パスＰ５と第ｊ番目のＳＣとの相関値、およびパスＰ６と第ｊ番目のＳＣとの相関値の合計値Ｓ３ｊが求められる。
【００８６】
８種類のＳＣの相関値の合計値Ｓ３０〜Ｓ３７のうち、
【００８７】
【数１３】
2005012359.tif 000015
【００８８】
となるｊに対する
【００８９】
【数１４】
2005012359.tif 000016
【００９０】
がこの基地局に対するスクランブリングコードとされる。これにより、基地局が特定される。
【００９１】
このように、本実施の形態によると、各パスの信号が同じ基地局からのものかどうかが判定され、同じ基地局からのマルチパスがレイク合成され、電力（相関値）の合計値に基づいて基地局が選択される。したがって、電力合計値（レイク合成値）が高く、受信品質の良い基地局を選択することができると共に、同期チャネル（ＳＣＨ）のＳ／Ｎを改善することができる。また、第２段階セルサーチおよび第３段階セルサーチにおいても、マルチパスのレイク合成後の電力値（相関値）により、セルサーチが実行されるので、同期の確立、コードの同定等をより高い精度で行うことができる。
【００９２】
上記図３のステップＳ３およびＳ４を、図６に示すステップＳ４０により行うこともできる。すなわち、まず、ステップＳ１およびＳ２において、図３の同じ符号のステップと同じ処理が行われ、各パスの基地局によりグルーピングされる。
【００９３】
次に、ステップＳ４０で、最大の電力値のパスが属する基地局が選択される。例えば、図７Ａでは、最大の電力値（相関値）はパスＰ２であるので、パスＰ２の属する基地局Ａが選択される。そして、ステップＳ５では、選択された基地局Ａについて、上述した第２段階セルサーチが実行され、ステップＳ６では、選択された基地局Ａについて、上述した第３段階セルサーチが実行される。
【００９４】
これによっても、第２段階セルサーチおよび第３段階セルサーチにおいて、マルチパスのレイク合成後の電力値（相関値）により、セルサーチが実行されるので、同期の確立、コードの同定等をより高い精度で行うことができる。
【００９５】
次に、２つ目以降の基地局を検出する場合における本発明の実施形態による処理の短縮について説明する。図８は、既に１つまたは２つ以上の基地局が検出された後、さらに別の基地局を検出する場合におけるセルサーチの処理フローを示すフローチャートである。ステップＳ１〜Ｓ６は、図３の同じ符号のステップと同じものであり、ステップＳ４０は、図６の同じ符号のステップと同じものであるので、その詳細な説明を省略する。
【００９６】
ステップＳ１およびＳ２の処理後、ステップＳ３およびＳ４（またはステップＳ４０）の処理により、基地局（該基地局に属するパス）が選択される。そして、選択された基地局（パス）について、ステップＳ７の処理が実行される。
【００９７】
ステップＳ７では、選択された基地局のパスが、既に検出済みの基地局に属するパスであるかどうかが判定される。この判定は、ステップＳ４（またはステップＳ４０）で選択されたパスのタイミングが、既に検出済みの基地局に属するパスのタイミングと同じまたは略同じであるかかどうかにより行われる。例えば、図７Ａにおいて、基地局Ｂが既に検出済みである場合には、ステップＳ４（またはＳ４０）で選択されたパスのタイミングと、基地局Ｂに属するパスＰ４〜Ｐ６のタイミングとが比較され、パスＰ４〜Ｐ６の中で同じまたは略同じタイミングのものが存在するかどうかが判定される。
【００９８】
既に検出済みの基地局に属するパスの中に、選択されたパスと同じまたは略同じタイミングのパスが存在すれば、選択されたパスは、既に検出済みの基地局に属するパスであると判断される。この場合に、このパスについてのステップＳ５およびＳ６の処理は、これまでの基地局検出処理において既に完了しているので、このパスについてのこれらステップの処理は行われず、他の基地局（またはパス）が選択される（Ｓ７でＹ，Ｓ８）。そして、再びステップＳ７の判定処理が行われる。
【００９９】
一方、タイミングが異なれば（Ｓ７でＮ）、選択されたパスは、既に検出済みの基地局に属するパスでないと判断される。この場合には、選択されたパスは、既に検出済みの基地局とは異なる他の基地局からのパスであるので、この選択されたパスについて、ステップＳ５およびＳ６の処理が実行され、これにより、新たな基地局が検出される。
【０１００】
このように、本実施の形態によると、検出された各パスが、基地局ごとにグルーピングされ、これにより、選択されたパスが同じ基地局からのパスであるかどうかが判定できるので、既に、検出済み基地局からのパスについて、第２段階および第３段階の処理を省略することができる。この結果、セルサーチの処理量を減らし、処理を短縮し、処理効率を改善することができる。
【０１０１】
次に、セルサーチにおけるレイク合成処理を、現在地の圏内／圏外判定に使用することもできる。図９は、圏内／圏外判定の処理フローを示すフローチャートである。ステップＳ１〜Ｓ３の処理は、図３の同じ符号のステップと同じものであり、ここではその説明を省略する。
【０１０２】
ステップＳ３において、同じ基地局からの複数のパスについて、電力の合計値（すなわちレイク合成後の電力値）が求められ、ステップＳ４において、この合計値が所定の閾値と比較される。合計値が所定の閾値以上であれば（Ｓ２１でＹ）、該基地局は圏内と判定され（Ｓ２３）、合計値が所定の閾値未満であれば（Ｓ２１でＮ）、該基地局は圏外と判定される。なお、所定の閾値の具体的な値は、実験、シミュレーション等によって求められる。
【０１０３】
従来、各パスのＰＳＣ相関値のうち、最大のものが閾値と比較されることにより、圏内／圏外判定が行われていたが、本実施形態により、ユーザデータ等の復調と同様に、レイク合成後の相関値の値に基づいて基地局の圏内／圏外判定が行われるので、より正確に圏内／圏外判定を行うことができる。
【０１０４】
これまで述べたマルチパスの基地局の判定処理を、基地局から周辺セルのタイミング情報（１スロット以内の誤差のタイミング情報）およびＳＣが移動局１に与えられる場合にも適用することができる。図１０は、基地局から周辺セルのタイミング情報およびＳＣが与えられる場合におけるセルサーチの処理フローを示すフローチャートである。ステップＳ１〜Ｓ４は、図３に示す同じ符号のステップと同じものであり、ステップＳ４０は、図６の同じ符号のステップと同じものであるので、ここではその詳細な説明を省略する。
【０１０５】
ステップＳ１、Ｓ２の処理後、あらかじめ基地局から得た周辺セルのスクランブリングコードとタイミング情報に基づいて、ステップＳ５０の処理が実行される。ステップＳ５０では、選択された基地局のスロットタイミングの中で、基地局から与えられたタイミングに一番近いものをフレーム先頭タイミングとする。続いて、ステップＳ６０では、選択された基地局に属する各パスの信号と、基地局から与えられたＳＣとの相関がとられる。そして、各パスについての相関値がレイク合成され、前述したステップＳ６の処理と同様に、レイク合成値、すなわち各パスについての相関値の合計値に基づいて、ＳＣが決定される。
【０１０６】
基地局から周辺セルのタイミング情報およびＳＣが移動局１に与えられる場合において、２つ目以降の基地局を検出する処理に、ステップＳ１〜Ｓ４、Ｓ４０の処理を適用することもできる。
【０１０７】
図１１は、基地局から周辺セルのタイミング情報およびＳＣが与えられる場合における２つ目以降のセルサーチの処理フローを示すフローチャートである。ステップＳ１〜Ｓ４は、図３に示す同じ符号のステップと同じものであり、ステップＳ４０は、図６の同じ符号のステップと同じものであり、ステップＳ７およびＳ８は、図８に示す同じ符号のステップと同じものである。また、ステップＳ５０およびＳ６０は、図１０の同じ符号のステップと同じものである。したがって、これらの処理について、ここではその詳細な説明を省略する。
【０１０８】
ステップＳ７において、選択された基地局に属するパスが、既に検出済みの基地局に属するパスでない場合（Ｓ７でＮ）、選択された基地局に属するパスについて、ステップＳ５０およびＳ６０の処理が実行される。
【０１０９】
このように、基地局から所定の情報が与えられる場合であっても、本発明を適用することができる。
【０１１０】
これまで述べた実施形態は一例であって、本発明の技術的範囲を限定するものではない。
【０１１１】
（付記１）１つまたは複数の基地局から複数のパスを介して無線信号により送信され、それぞれが第１同期チャネル、第２同期チャネル、および共通パイロットチャネルを含む複数のスロットからなるフレームを受信し、該フレームに基づいてセルサーチを行うセルサーチ装置であって、
各パスの第１同期チャネルに含まれる第１同期コードを検出することにより、各パスのスロットタイミング同期を確立する第１同期確立部と、
前記第１同期確立部により前記スロットタイミング同期が確立された複数のパスが同じ基地局からのパスかどうかを判定して同じ基地局のパス同士をグループに分類し、分類したグループの１つを選択する分類選択部と、
前記分類選択部により選択されたグループに含まれる全てのパスをレイク合成することにより、該グループの第２同期チャネルに含まれる第２同期コードを検出し、該グループに対応する基地局のフレームタイミング同期の確立およびスクランブリングコードグループの同定を行う第２同期確立部と、
前記選択されたグループに含まれる少なくとも１つのパスの共通パイロットチャネルおよび前記第２同期確立部により同定されたスクランブリングコードグループに基づいて、該パスのスクランブリングコードを同定するコード同定部と、
を備えるセルサーチ装置。
【０１１２】
（付記２）付記１において、
前記分類選択部は、前記第１同期確立部により前記スロットタイミング同期が確立された複数のパスから２つずつパスを選択して該２つのパス間の相関を求め、該相関の値に基づいて２つのパスが同じ基地局からのものかどうかを判定することにより、前記複数のパスをグループに分類する、セルサーチ装置。
【０１１３】
（付記３）付記１において、
前記分類選択部は、各グループに属するパスの前記第１同期コードの相関値の合計値を求め、該合計値が最大のグループを選択する、セルサーチ装置。
【０１１４】
（付記４）付記１において、
前記分類選択部は、各グループに属するパスの前記第１同期コードの相関値のうち最大の相関値を有するグループを選択する、セルサーチ装置。
【０１１５】
（付記５）付記１において、
前記第２同期確立部は、前記分類選択部により選択されたグループに含まれる全てのパスについて、各パスの各スロットの第２同期チャネルと所定の種類の第２同期コードとの相関を求め、求めた各パスの各スロットの相関値を全てのパスについて合計し、合計した値が最大となる種類の第２同期コードを、前記選択されたグループに対応する基地局からのフレームの各スロットの第２同期コードとして検出する、セルサーチ装置。
【０１１６】
（付記６）付記１において、
前記コード同定部は、前記分類選択部により選択されたグループに含まれる全てのパスについて、各パスの共通パイロットチャネルと前記同定されたスクランブリングコードグループに属する所定の種類のスクランブリングコードとの相関を求め、求めた各パスの相関値を全てのパスについて合計し、合計した値が最大となる種類のスクランブリングコードを、前記選択されたグループに対応する基地局のスクランブリングコードとして同定する、セルサーチ装置。
【０１１７】
（付記７）付記１において、
前記第２同期確立部は、２つ目以降の基地局のセルサーチを行う場合において、前記分類選択部により選択されたグループに含まれる少なくとも１つのパスが、既にフレームタイミング同期が確立されたパスであるときは、該パスまたは前記選択されたグループに含まれる全てのパスについての第２同期コードの検出、フレームタイミング同期の確立、およびスクランブリングコードグループの同定を省略する、セルサーチ装置。
【０１１８】
（付記８）付記１において、
前記コード同定部は、２つ目以降の基地局のセルサーチを行う場合において、前記分類選択部により選択されたグループに含まれる少なくとも１つのパスが、既にスクランブリングコードが同定されたパスであるときは、該パスまたは前記選択されたグループに含まれる全てのパスについてのスクランブリングコードの同定を省略する、セルサーチ装置。
【０１１９】
（付記９）付記１において、
前記第２同期確立部は、基地局から与えられたタイミング情報に基づいて、前記パスのフレームタイミング同期を確立する、セルサーチ装置。
【０１２０】
（付記１０）付記９において、
前記第２同期確立部は、２つ目以降の基地局のセルサーチを行う場合において、前記分類選択部により選択されたグループに含まれる少なくとも１つのパスが、既にフレームタイミング同期が確立されたパスであるときは、該パスまたは前記選択されたグループに含まれる全てのパスについての、前記基地局から与えられたタイミング情報に基づくフレームタイミング同期の確立を省略する、セルサーチ装置。
【０１２１】
（付記１１）付記１において、
前記コード同定部は、前記少なくとも１つのパスの共通パイロットチャネルおよび基地局から与えられたスクランブリングコードに基づいて、該パスのスクランブリングコードを同定する、セルサーチ装置。
【０１２２】
（付記１２）付記１１において、
前記コード同定部は、前記分類選択部により選択されたグループに含まれる全てのパスについて、各パスの共通パイロットチャネルと前記基地局から与えられたスクランブリングコードとの相関を求め、求めた各パスの相関値を全てのパスについて合計し、合計した値が最大となるスクランブリングコードを、前記選択されたグループに対応する基地局のスクランブリングコードとして同定する、セルサーチ装置。
【０１２３】
（付記１３）付記１１において、
前記コード同定部は、２つ目以降の基地局のセルサーチを行う場合において、前記分類選択部により選択されたグループに含まれる少なくとも１つのパスが、既にスクランブリングコードが同定されたパスであるときは、該パスまたは前記選択されたグループに含まれる全てのパスについての、共通パイロットチャネルおよび前記基地局から与えられたスクランブリングコードに基づくスクランブリングコードの同定を省略する、セルサーチ装置。
【０１２４】
（付記１４）１つまたは複数の基地局から複数のパスを介して無線信号により送信され、それぞれが少なくとも第１同期チャネルを含む複数のスロットからなるフレームを受信し、該フレームに基づいて、自局がエリアの圏内であるか圏外であるかの判定を行う移動局装置であって、
各パスの第１同期チャネルに含まれる第１同期コードを検出することにより、各パスのスロットタイミング同期を確立する第１同期確立部と、
前記第１同期確立部により前記スロットタイミング同期が確立された複数のパスが同じ基地局からのパスかどうかを判定して同じ基地局のパス同士をグループに分類する分類部と、
前記分類部により分類されたグループの少なくとも１つについて、該少なくとも１つのグループに属する全てのパスの前記第１同期コードの相関値の合計値を求め、該合計値に基づいて、自局が、該グループに対応する基地局のエリア圏内であるか圏外であるかを判定する判定部と、
を備える移動局装置。
【０１２５】
（付記１５）付記１４において、
前記判定部は、前記合計値と所定の閾値とを比較し、前記合計値が前記所定の閾値以上の場合には、自局が、該グループに対応する基地局のエリア圏内であると判定する、移動局装置。
【０１２６】
（付記１６）１つまたは複数の基地局から複数のパスを介して無線信号により送信され、それぞれが第１同期チャネル、第２同期チャネル、および共通パイロットチャネルを含む複数のスロットからなるフレームに基づいてセルサーチを行うセルサーチ方法であって、
各パスの第１同期チャネルに含まれる第１同期コードを検出することにより、各パスのスロットタイミング同期を確立するステップと、
前記スロットタイミング同期が確立された複数のパスが同じ基地局からのパスかどうかを判定して同じ基地局のパス同士をグループに分類し、分類したグループの１つを選択するステップと、
前記選択されたグループに含まれる全てのパスをレイク合成することにより、該グループの第２同期チャネルに含まれる第２同期コードを検出し、該パスのフレームタイミング同期の確立およびスクランブリングコードグループの同定を行うステップと、
前記少なくとも１つのパスの共通パイロットチャネルおよび前記同定されたスクランブリングコードグループに基づいて、該パスのスクランブリングコードを同定するステップと、
を備えるセルサーチ方法。
【０１２７】
（付記１７）１つまたは複数の基地局から複数のパスを介して無線信号により送信され、それぞれが少なくとも第１同期チャネルを含む複数のスロットからなるフレームに基づいて、自局がエリアの圏内であるか圏外であるかの判定を行う移動局装置の圏内／圏外判定方法であって、
各パスの第１同期チャネルに含まれる第１同期コードを検出することにより、各パスのスロットタイミング同期を確立するステップと、
前記スロットタイミング同期が確立された複数のパスが同じ基地局からのパスかどうかを判定して同じ基地局のパス同士をグループに分類するステップと、
前記分類されたグループの少なくとも１つについて、該少なくとも１つのグループに属する全てのパスの前記第１同期コードの相関値の合計値を求め、該合計値に基づいて、自局が、該グループに対応する基地局のエリア圏内であるか圏外であるかを判定するステップと、
を備える圏内／圏外判定方法。
【０１２８】
【発明の効果】
本発明は、移動通信システム（例えばＷ−ＣＤＭＡ方式の移動通信システム）における移動局に適用することができ、特に移動局のセルサーチ装置およびセルサーチ方法に適用することができる。
【０１２９】
本発明によると、同期チャネルのＳ／Ｎを改善することができ、これにより、同期コードの検出精度を改善することができる。その結果、基地局の検出確率を高めることができる。また、本発明によると、セルサーチの処理効率を改善することができる。
【図面の簡単な説明】
【図１】図１は、Ｗ−ＣＤＭＡ方式を使用する移動通信ネットワークにおける移動局を取り巻く環境の一例を示す。
【図２】図２は、本発明の一実施形態による移動局の構成を示すブロック図である。
【図３】図３は、移動局のセルサーチ部により実行される３段階セルサーチの処理フローを示すフローチャートである。
【図４】図４は、図３のステップＳ２の詳細な処理フローを示すフローチャートである。
【図５】図５は、２つのパスの相関値を求める回路図である。
【図６】図６は、移動局のセルサーチ部により実行されるセルサーチの処理フローを示すフローチャートである。
【図７】図７Ａおよび７Ｂは、検出されたパスのタイミングと相関値との関係の一例を示すグラフである。
【図８】図８は、２つ目以降のセルサーチの処理フローを示すフローチャートである。
【図９】図９は、基地局の圏内／圏外判定の処理フローを示すフローチャートである。
【図１０】図１０は、基地局から周辺セルのタイミング情報およびＳＣが与えられる場合におけるセルサーチの処理フローを示すフローチャートである。
【図１１】図１１は、基地局から周辺セルのタイミング情報およびＳＣが与えられる場合における２つ目以降のセルサーチの処理フローを示すフローチャートである。
【図１２】図１２は、Ｗ−ＣＤＭＡのフレームの構造を示す。
【符号の説明】
Ａ，Ｂ  基地局
１  移動局
Ｘ１〜Ｘ４  反射物
１１  アンテナ
１２  無線受信部
１３  Ａ／Ｄ変換部
１４  セルサーチ部
１５  パスサーチ部
１６  データ復調部
【図１】
2005012359.tif 000017
【図２】
2005012359.tif 000018
【図３】
2005012359.tif 000019
【図４】
2005012359.tif 000020
【図５】
2005012359.tif 000021
【図６】
2005012359.tif 000022
【図７】
2005012359.tif 000023
【図８】
2005012359.tif 000024
【図９】
2005012359.tif 000025
【図１０】
2005012359.tif 000026
【図１１】
2005012359.tif 000027
【図１２】
2005012359.tif 000028